(57)【要約】【課題】  装着時に於けるスプリングと高圧タワーとの干渉に起因する装着不良を減少することのできる内燃機関用点火コイルを提供すること。【解決手段】  少なくとも一次コイル及び二次コイルを配設し、かつ前記一次コイル及び二次コイルを磁気的に結合させる鉄心を有し、これらを絶縁ケース内に収納し、前記二次コイルで発生する高圧電流を絶縁筒内に配設した点火ノイズ低減手段を備えたスプリングを介して点火プラグに伝達する内燃機関用点火コイルであって、前記絶縁筒内に前記スプリング挿入時のガタツキを防止する傾き防止リブを設けたので、装着時に於けるスプリングと高圧タワーとの干渉に起因する装着不良を減少することができる。【選択図】  図１
2006260796.tif 000002
【特許請求の範囲】
【請求項１】
少なくとも一次コイル及び二次コイルを配設し、かつ前記一次コイル及び二次コイルを磁気的に結合させる鉄心を有し、これらを絶縁ケース内に収納し、前記二次コイルで発生する高圧電流を絶縁筒内に配設した点火ノイズ低減手段を備えたスプリングを介して点火プラグに伝達する内燃機関用点火コイルであって、
前記絶縁筒内に前記スプリング挿入時のガタツキを防止する傾き防止リブを設けたことを特徴とする内燃機関用点火コイル。
【請求項２】
前記傾き防止リブは、前記絶縁筒の上端の拡開孔から細径孔に移行する部位に形成されたことを特徴とする請求項１に記載の内燃機関用点火コイル。
【請求項３】
前記傾き防止リブは、絶縁筒の長手方向に沿って複数本形成されたことを特徴とする請求項１または２に記載の内燃機関用点火コイル。
【請求項４】
前記傾き防止リブは、前記絶縁筒の内壁面から立設されており、その半径方向先端が前記絶縁筒の細径孔とほぼ等しく形成されたことを特徴とする請求項１〜３の何れか１に記載の内燃機関用点火コイル。
【請求項５】
前記傾き防止リブは、その上端面が前記絶縁筒の拡開孔から続くテーパ状に形成されたことを特徴とする請求項１〜４の何れか１に記載の内燃機関用点火コイル。
【発明の詳細な説明】
【技術分野】
【０００１】
本発明は、例えば自動車用エンジンの点火プラグにおいて火花放電を発生させる為に高電圧を供給する内燃機関用点火コイルに関するものである。
【背景技術】
【０００２】
従来の内燃機関用点火コイルの一例を図４に示す（例えば、特許文献１）。ここで、図４は従来の内燃機関用点火コイルの縦断面図である。内燃機関用点火コイルは、一次コイル２及び二次コイル３と、その二つのコイルを磁気的に結合させるべく、一次コイル２の内周を通るセンタ鉄心４及び前記二次コイルの外周を通るサイド鉄心５と、一次コイル２に流れる一次電流を通電及び遮断制御し、二次コイル側に高電圧を発生させるもので、全体を絶縁ケース６内に収納している。二次コイル３に発生した高電圧は、高圧タワー７内に配置された高圧端子８及びスプリング９を介して点火プラグに伝達される。
また、プロテクタ１０は、絶縁ケース６の下端に装着されるラバー１１と、ラバー１１に接続される絶縁筒１２と、絶縁筒１２の下端に装着されるブーツ１３と、絶縁筒１２内部に装着されるスプリング９とから構成されている。
【特許文献１】特開２００２−３９０４０号公報
【発明の開示】
【発明が解決しようとする課題】
【０００３】
しかし、従来の内燃機関用点火コイルでは、図４に示すように絶縁筒１２の上端の拡開孔１２ａの長さが長いために、プロテクタ１０内でスプリング９の傾きが生じ易かった。このために、プロテクタ１０を点火コイルの下端に装着する際に、スプリング９が高圧タワーと干渉し、装着不良を生じる虞れがあった。また、プロテクタ自体の重量を軽減させることが困難であると云う問題が存在した。
【０００４】
この発明は、上記に鑑み提案されたもので、絶縁筒内に傾き防止リブを設け、装着時のスプリングと高圧タワーとの干渉に起因する装着不良を減少することのできる内燃機関用点火コイルを提供することを目的とするものである。
【課題を解決するための手段】
【０００５】
上記目的を達成する為に、本発明の内燃機関用点火コイルは、少なくとも一次コイル及び二次コイルを配設し、かつ前記一次コイル及び二次コイルを磁気的に結合させる鉄心を有し、これらを絶縁ケース内に収納し、前記二次コイルで発生する高圧電流を絶縁筒内に配設した点火ノイズ低減手段を備えたスプリングを介して点火プラグに伝達する内燃機関用点火コイルであって、前記絶縁筒内に前記スプリング挿入時のガタツキを防止する傾き防止リブを設けたことを特徴としている。
【０００６】
また、請求項２に記載の発明において、前記傾き防止リブは、前記絶縁筒の上端の拡開孔から細径孔に移行する部位に形成されたことを特徴とする。
【０００７】
また、請求項３に記載の発明において、前記傾き防止リブは、絶縁筒の長手方向に沿って複数本形成されたことを特徴とする。
【０００８】
また、請求項４に記載の発明において、前記傾き防止リブは、前記絶縁筒の内壁面から立設されており、その半径方向先端が前記絶縁筒の細径孔とほぼ等しく形成されたことを特徴とする。
【０００９】
また、請求項５に記載の発明において、前記傾き防止リブは、その上端面が前記絶縁筒の拡開孔から続くテーパ状に形成されたことを特徴とする。
【発明の効果】
【００１０】
この発明は上記した構成からなるので、以下に説明するような効果を奏することができる。 
【００１１】
本発明では、少なくとも一次コイル及び二次コイルを配設し、かつ前記一次コイル及び二次コイルを磁気的に結合させる鉄心を有し、これらを絶縁ケース内に収納し、前記二次コイルで発生する高圧電流を絶縁筒内に配設した点火ノイズ低減手段を備えたスプリングを介して点火プラグに伝達する内燃機関用点火コイルであって、前記絶縁筒内に前記スプリング挿入時のガタツキを防止する傾き防止リブを設けたので、プロテクタ装着時におけるスプリングと高圧タワーとの干渉に起因する装着不良を減少させることができる。
【００１２】
また、本発明では、前記傾き防止リブは、前記絶縁筒の上端の拡開孔から細径孔に移行する部位に形成されたので、スプリングの装着を容易にするとともに、スプリングが高圧タワーと干渉するのを防止することができる。また、アダプター自体の軽量化及び耐電圧性を増強することができる。
【００１３】
また、本発明では、前記傾き防止リブは、絶縁筒の長手方向に沿って複数本形成されたので、装着するスプリングの方向性を考慮することなく装着できる。また、アダプター自体の軽量化を達成することができる。
【００１４】
また、本発明では、前記傾き防止リブは、前記絶縁筒の内壁面から立設されており、その半径方向先端が前記絶縁筒の細径孔とほぼ等しく形成されたので、スプリングの装着を円滑に行うことができる。
【００１５】
また、本発明では、前記傾き防止リブは、その上端面が前記絶縁筒の拡開孔から続くテーパ状に形成されたので、スプリングの装着を円滑に行うことができる。また、アダプター自体の軽量化を達成することができる。
【発明を実施するための最良の形態】
【００１６】
絶縁筒内にスプリング挿入時のガタツキを防止する傾き防止リブを設けたので、スプリングの装着を円滑にできるとともに、アダプター自体の軽量化という目的が達成できる。
【実施例】
【００１７】
以下、一実施の形態を示す図面に基づいて本発明を詳細に説明する。図１は、本発明に係る内燃機関用点火コイルの一例を示す縦断面図、図２は、本発明の同内燃機関用点火コイルに使用される絶縁筒を示す平面図、図３は、同絶縁筒の縦断面図である。ここで、内燃機関用点火コイル１５は、少なくとも一次コイル１６及び二次コイル１７を配設し、かつ前記一次コイル１６及び二次コイル１７を磁気的に結合させる鉄心１８を有し、これらを絶縁ケース１９内に収納し、前記二次コイル１７で発生する高圧電流を前記絶縁ケース１９の下端に形成された高圧タワー２３内に配設された高圧端子２４を介して、プロテクタ２５の一部を構成する絶縁筒２０内に配設した点火ノイズ低減手段を備えたスプリング２１を介して点火プラグに伝達するものであって、絶縁筒２０内に前記スプリング２１挿入時のガタツキを防止する傾き防止リブ２２を設けている。
プロテクタ２５は、絶縁ケース１９の下端に装着されるラバー２６と、ラバー２６に接続される絶縁筒２０と、絶縁筒２０の下端に装着されるブーツ２７とから構成されている。
【００１８】
傾き防止リブ２２は、絶縁筒２０の上端の拡開孔２０ａから細径孔２０ｂに移行する部位に形成されている。また、傾き防止リブ２２は、絶縁筒２０の長手方向に沿って、本実施の形態では９０度ずつ、４個設けられている。
傾き防止リブ２２は、絶縁筒２０の内壁面から立設されており、その半径方向先端が絶縁筒２０の細径孔２０ｂとほぼ等しく形成されている。また、傾き防止リブ２２は、その上端面２２ａが絶縁筒２０の拡開孔から続くテーパ状に形成され、断面形状が略平行四辺形となっている。
【００１９】
以上のように構成された内燃機関用点火コイル１５は、絶縁筒２０に傾き防止リブ２２を設けたので、プロテクタ２５を絶縁ケース１９に装着する際に、スプリング２１が絶縁筒２０内で倒れたり、曲がることがないので高圧タワー２３との干渉を防止できる。したがって、プロテクタ２５の装着不良を防止することができる。
【００２０】
なお、傾き防止リブ２２は、絶縁筒２０の成型時に一体的に製造することができ、軽量化を図ることができる。
【図面の簡単な説明】
【００２１】
【図１】図１は、本発明に係る内燃機関用点火コイルの一例を示す縦断面図である。
【図２】図２は、同内燃機関用点火コイルに使用される絶縁筒を示す平面図である。
【図３】図３は、同絶縁筒の縦断面図である。
【図４】図４は、従来例を示す内燃機関用点火コイルを示す縦断面図である。
【符号の説明】
【００２２】
１５      内燃機関用点火コイル
１６      一次コイル
１７      二次コイル
１８      鉄心
１９      絶縁ケース
２０      絶縁筒
２０ａ    拡開孔
２０ｂ    細径孔
２１      スプリング  
２２      傾き防止リブ
２２ａ    上端面
２３      高圧タワー
２４      高圧端子
２５      プロテクタ
２６      ラバー
２７      ブーツ
【図１】
2006260796.tif 000003
【図２】
2006260796.tif 000004
【図３】
2006260796.tif 000005
【図４】
2006260796.tif 000006